(57)【要約】【課題】簡易なマイナスイオン発生装置を提供する。【解決手段】マイナスイオン発生部２１と、マイナスイオンを電気的に移送するマイナスイオン移送手段１０とを備え、前記マイナスイオン移送手段はマイナスイオン集電部１１とマイナスイオン放出部１２とが導線１３で電気的に接続されている浴室用等マイナスイオン発生装置。また、前記導線１３は途中で分岐されて複数の放出部１２ａ，１２ｂを備えていてもよい。【選択図】　　　　図１
2004111287.tif 000002
【特許請求の範囲】
【請求項１】
マイナスイオン発生部（２１）と、マイナスイオンを電気的に移送するマイナスイオン移送手段（１０）とを備え、前記マイナスイオン移送手段はマイナスイオン集電部（１１）とマイナスイオン放出部（１２）とが導線（１３）で電気的に接続されていることを特徴とするマイナスイオン発生装置。
【請求項２】
前記導線（１３）は途中で分岐されて複数の放出部（１２ａ，１２ｂ）を備えていることを特徴とする請求項１記載のマイナスイオン発生装置。
【請求項３】
前記マイナスイオン集電部（１１）は導電性の部材により形成され、前記マイナスイオン発生部（２１）と離間して設置されることを特徴とする請求項１又は２に記載のマイナスイオン発生装置。
【発明の詳細な説明】
【０００１】
【発明の属する技術分野】
本発明は浴室用等のマイナスイオン発生装置に関するものである。
【０００２】
【従来の技術】
浴室内にマイナスイオンを発生させ入浴中にマイナスイオンを全身の皮膚から吸収させるイオン発生装置付き浴室の従来技術（第１の従来技術）として、浴室に出窓を設けこの出窓内にイオン発生装置として滝を設けた例が記載されている（特開昭６２−５３６０号公報第２頁右上欄等）。
【０００３】
一方、マイナスイオンを電気的に発生させ、マイナスイオンを含んだ空気を浴槽内に導いて入浴中にマイナスイオンを全身の皮膚から吸収させる装置の従来技術（第２の従来技術）として、針状電極を陰極に他方の電極を接地電極（ＧＮＤ）にしてこれらに高電圧を印加することにより陰極からマイナスイオンを発生させる方法が記載されている（特開平２０００−４８９３２号公報、第１６段落等）。同文献によれば、この装置を浴室などの高温多湿環境下に設置する場合、加熱手段によって相対湿度を下げた状態でイオンを発生させることで、マイナスイオン発生量の低下を補うことができる旨記載されている（第４，２０段落等）。
【０００４】
【発明が解決しようとする課題】
しかし、上述した第１の従来技術は、出窓や滝を準備する必要があり、また、第２の従来技術は、送風用モータ部や送風を誘導するための配管や加熱手段等の設置が必要となる点で、いずれも設備が大がかりとなりコストが増大する。
【０００５】
本発明は、上記問題点に鑑みてなされたものであり、簡易なマイナスイオン発生装置を提供することを主目的とする。
【０００６】
【課題を解決するための手段】
上記課題を解決するため、本発明に係るマイナスイオン発生装置は、マイナスイオン発生部２１と、マイナスイオンを電気的に移送するマイナスイオン移送手段１０とを備え前記マイナスイオン移送手段はマイナスイオン集電部１１とマイナスイオン放出部１２とが導線１３で電気的に接続された構成を備えている。
【０００７】
また、前記導線１３は途中で分岐されて複数の放出部１２ａ，１２ｂを備えた構成としてもよい。
【０００８】
本発明の浴室用等のマイナスイオン発生装置によれば、装置が安価かつ小型化でき、湿度の高い浴室内でも故障や感電事故等の心配がない。なお、「電気的に移送」とは、中空のチューブなどで物理的にマイナスイオンそのものを移送するものは含まれない意である。
【０００９】
このようにすれば、マイナスイオン発生装置は浴室外などの湿度の低い環境下に設置して、マイナスイオン放出部を湿度の高いところに設置することができる。
【００１０】
前記マイナスイオン集電部１１は導電性の部材により形成され、前記マイナスイオン発生部２１と離間して設置されることが好ましい。
【００１１】
ここで、「離間して」とは、空間的に離れていることを意味する。電気的には絶縁体としての（すなわち、絶縁破壊しない）空気を介して接続されている。このようにすると、マイナスイオン放出部１２の先端の電位がマイナスイオン発生部の電位よりも上がり、効率よくマイナスイオンを集めることができる。
【００１２】
【発明の実施の形態】
（マイナスイオン移送・再放出の基本原理）
図２は、マイナスイオンの移送原理について説明するための図である。マイナスイオン移送手段１０の基本構成は、マイナスイオン集電部１１とマイナスイオン放出部１２とが導線１３で電気的に接続されてなる。
【００１３】
マイナスイオン発生部２１から放出されたマイナスイオンを、マイナスイオン集電部１１で受電し、導線１３を伝ってマイナスイオン放出部１２から放出される仕組みとなっている。なお、マイナスイオン発生部２１は、負の高電圧Ｖ１（例えば−９５００Ｖ）が印加された放電電極針など、既存の装置を用いることができる。
【００１４】
次に、図３及び図４は、本発明者により行われた実験について説明するための図である。図３（Ａ）〜（Ｃ）は、マイナスイオン発生部２１と高電圧ユニット２２とを備えたコロナ放電を利用するタイプの公知のマイナスイオン発生装置である。図３（Ａ）は、この装置を直方体の金属ケースに収めた態様である。高電圧ユニットの電源をオンにすると、マイナスイオン発生部２１からマイナスイオンが放出される。
【００１５】
このマイナスイオン発生部２１は金属ケースの６面に覆われているため、金属ケース１１ａは負に帯電する。この金属ケース１１ａは、マイナスイオン集電部とみなすことができる。マイナスイオン集電部は、マイナスイオン発生部と離間して設置される。マイナスイオン集電部の電位Ｖ２は、例えば−８０００Ｖ程度である。
【００１６】
従って、この金属ケース１１ａに導線１３を接続し、導線の他端にマイナスイオン放出部を接続すれば、マイナスイオン発生装置で発生したマイナスイオンを電気的に移送することができる。
【００１７】
図４（ａ）は、導線１３の他端がマイナスイオン放出部１２に接続された様子を示している。導線１３の長さは３８００ｍｍとした。マイナスイオン放出部１２の電位Ｖ３は−５０００Ｖ〜−７０００Ｖ程度である。なお、マイナスイオン放出部１２は、具体的には針状の電極であることが効率よくマイナスイオンを放出する点で好ましい。
【００１８】
なお、マイナスイオン発生部から集電部、放出部へと伝わるにつれて電位は上昇（絶対値は小さくなる意である。）し、イオンロスが発生する。すなわち、｜Ｖ１｜＞｜Ｖ２｜＞｜Ｖ３｜という関係が成立している。
【００１９】
マイナスイオン放出部１２の先端から距離Ｄ（ｍｍ）隔てた場所に、イオンカウンター１５が設置されている。実験では、距離Ｄを５００ｍｍ、１０００ｍｍ、１５００ｍｍと変化させて測定した。なお、イオンカウンター１５の測定部とマイナスイオン放出部１２の高さを同じにするため、木箱１４（絶縁性であればよい）の上に、マイナスイオン放出部１２をおいて、移送された後再放出したマイナスイオンの量を測定した。
【００２０】
図３（Ｂ）は、マイナスイオン集電部の形状が６面包囲ではなく、３面包囲した態様である。すなわち、マイナスイオン放出部の正面、底部、背面のみを金属板をＵ字形に折曲げた形状のマイナスイオン集電部１１ｂを用いた。導線１３の他端は図４（ａ）に示すマイナスイオン放出部１２に接続し、図３（Ａ）と同様の条件でマイナスイオンの再放出量をイオンカウンター１５により測定した。
【００２１】
図３（Ｃ）は、マイナスイオン集電部の形状が、Ｌ字形の態様である。集電部の大きさは３ｃｍ×５ｃｍとした。マイナスイオン発生部２１の先端からＬ（ｍｍ）だけ離れた位置に、このＬ字型のマイナスイオン集電部１１ｃをおいた。実験では、Ｌを、１０ｍｍ、５０ｍｍ、１００ｍｍと変化させた。
【００２２】
以上のような、図３（Ａ），（Ｂ），（Ｃ）のそれぞれについて、図４（ａ）のイオンカウンター１５により測定した結果を示した図が、図４（ｂ）である。
【００２３】
この結果から分かるように、マイナスイオン移送手段１０によって移送され再放出されるマイナスイオンの数は、マイナスイオン集電部１１の形状により異なるが、測定距離５００ｍｍの位置で最高１８０万個／ｃｃものマイナスイオンが測定され、マイナスイオンが電気的に移送されることが明らかとなった。
【００２４】
（第１の実施形態）
以上のマイナスイオン移送・再放出の原理を利用して、浴室用マイナスイオン発生装置を製作することができる。図１は、浴室用マイナスイオン発生装置の一例を示す図である。
【００２５】
浴室外にマイナスイオン発生装置（不図示）を設置し、この装置に含まれるマイナスイオン発生部２１を、６面包囲したマイナスイオン集電部１１で覆い、これを導線１３と接続し、他端を途中で分岐してマイナスイオン放出部１２ａと１２ｂを電気的に接続する。マイナスイオン集電部１１は、ステンレス製を用いたが、鉄やアルミニウムなど導電性のものであればよい。
【００２６】
マイナスイオン放出部１２ａは、浴槽内の湯中に沈め、もう一つのマイナスイオン放出部１２ｂは、浴室内の天井部付近などに設置する。
【００２７】
マイナスイオン放出部１２ａは、針状の電極を用いることが好ましいが、湯中に沈めることを考えると、耐水・絶縁性の網状のケースで周囲を覆うようにすることが好ましい。
【００２８】
また、導線１３は、むき出しのものより、絶縁材料で被覆されたものが腐食・漏電を防止する上で好ましい。実験ではビニル被覆された銅線を利用したが、ステンレス棒に絶縁体を被覆したものなど、電気的にマイナスイオンを移送できる材料であればよい。
【００２９】
マイナスイオン発生装置の電源を入れると、マイナスイオンが浴槽及び浴室内に広がり、快適感を得ることができる。
【００３０】
浴室はマイナスイオンの発生量が低下しやすい高温多湿環境であるが、本発明によると、浴室の外にマイナスイオン発生装置を設置してマイナスイオンを電気的に移送するため、マイナスイオンの発生量が低下しない。また、高電圧を利用するマイナスイオン発生装置を浴室内に設置せずにすむため、漏電や腐食等の事故・故障等のトラブルを未然に回避できる。また、マイナスイオンの放出部を複数設けることもでき、一つのマイナスイオン発生装置を効率よく利用することができコストの削減にも寄与する。
【００３１】
なお、マイナスイオン集電部１１の形状は、６面包囲したものに限られず、種々の形状が利用できる。
【００３２】
（第２の実施形態）
本発明は、浴室に限られず利用できる。例えば、一つの建物に大きなマイナスイオン発生装置を一つ設置し、各部屋にマイナスイオン放出部を設置し、それらを導線で接続するのである。設置場所は、浴室はもちろん、トイレ、エアコンの吹出口、居間、応接室、玄関などが考えられる。
【００３３】
このようにすれば、建物に一つマイナスイオン発生装置を設置するだけで、各部屋にマイナスイオン発生装置あるいはこれを搭載した種々の電気製品を設置する必要がなくなる。また、マイナスイオン発生機能のないエアコンに、マイナスイオン発生機能を付加することが可能となる。
【００３４】
なお、本発明のマイナスイオン発生装置を利用したシステムは、住宅用のみならず、ビル、空港、コンサートホール、映画館などの大規模な商業施設にも利用できる。
【発明の効果】
本発明にかかるマイナスイオン発生装置は、マイナスイオンを発生させる部分とマイナスイオンを放出させる部分とを異なる場所に設置することができ、浴室等の高温多湿環境下にマイナスイオン発生装置を設置する必要がなくなる。
【図面の簡単な説明】
【図１】図１は、浴室用マイナスイオン発生装置の一例を示す図である。
【図２】図２は、マイナスイオンの移送原理について説明するための図である。
【図３】図３は、本発明者により行われた実験について説明するための図である。（Ａ）は、この装置を直方体の金属ケースに収めた態様である。（Ｂ）は、マイナスイオン集電部の形状を３面包囲とした態様である。（Ｃ）は、マイナスイオン集電部の形状が、Ｌ字形の態様である。
【図４】図４は、本発明者により行われた実験について説明するための図である。（ａ）は、導線１３の他端がマイナスイオン放出部１２に接続された様子を示している。（ｂ）は、図４（ａ）のイオンカウンター１５により測定した結果を示した図である。
【符号の説明】
１０　　マイナスイオン移送手段
１１、１１ａ、１１ｂ、１１ｃ　　マイナスイオン集電部
１２、１２ａ、１２ｂ　　マイナスイオン放出部
１３　　導線
１４　　木箱
１５　　イオンカウンター
２１　　マイナスイオン発生部
２２　　高電圧ユニット
【図１】
2004111287.tif 000003
【図２】
2004111287.tif 000004
【図３】
2004111287.tif 000005
【図４】
2004111287.tif 000006